(57)【要約】      （修正有）【課題】高画質・長時間録画が可能で信頼性が高く、設置が容易であり、更にはデータのバックアップが容易で短時間で可能な録画装置一体型の監視カメラを提供する。【解決手段】監視カメラ装置であって、監視カメラ装置の取り付け部位に固定することができるように構成されたベース２と、カメラ部３０と、カメラ部３０が取り付けられる台座部３４と、カメラ部３０で撮像された画像データを記憶する外付けハードディスクドライブ３６と、を備え、外付けハードディスクドライブ３６は、台座部３４とベース２との間に配置されている。【選択図】図３
0003197508.tif 000002
【実用新案登録請求の範囲】
【請求項１】
監視カメラ装置であって、
前記監視カメラ装置の取り付け部位に固定することができるように構成されたベースと、
カメラ部と、
前記カメラ部が取り付けられる台座部と、
前記カメラ部で撮像された画像データを記憶するハードディスクドライブと、
を備え、
前記ハードディスクドライブは、前記台座部と前記ベースとの間に配置されている
監視カメラ装置。
【請求項２】
前記ハードディスクドライブは外付けハードディスクドライブである請求項１に記載の監視カメラ装置。
【請求項３】
データ転送インタフェースを有する回路基板を更に備え、
前記回路基板には第１のデータ転送ケーブルが接続され、
前記ハードディスクドライブには第２のデータ転送ケーブルが接続され、
前記第２のデータ転送ケーブルは、前記第１のデータ転送ケーブルと、直接又は一若しくはそれ以上のデータ転送ケーブルを介して、着脱可能に接続されている請求項１又は２に記載の監視カメラ装置。
【請求項４】
前記データ転送インタフェースはＵＳＢインタフェースであり、前記第１のデータ転送ケーブル及び前記第２のデータ転送ケーブルはＵＳＢケーブルである請求項３に記載の監視カメラ装置。
【請求項５】
サブカメラを更に有し、前記サブカメラは前記台座に着脱可能にかつ位置自在に取り付けられる請求項１〜４のいずれか１項に記載の監視カメラ装置。
【請求項６】
前記カメラ部は、赤外線を照射する照明部を更に備える請求項１〜５のいずれか１項に記載の監視カメラ装置。
【請求項７】
無線ＬＡＮモジュールを更に備える請求項１〜６のいずれか１項に記載の監視カメラ装置。
【請求項８】
前記ハードディスクドライブが、前記無線ＬＡＮモジュールを更に備える請求項７に記載の監視カメラ装置。
【請求項９】
有線ＬＡＮモジュールを更に備える請求項１〜８のいずれか１項に記載の監視カメラ装置。
【請求項１０】
前記監視カメラに異常が発生した場合に、異常を検知し報知する異常検知報知部を更に備える請求項１〜９のいずれか１項に記載の監視カメラ装置。
【考案の詳細な説明】
【技術分野】
【０００１】
この考案は、監視カメラ装置に関するものであり、より詳細には録画装置一体型の監視カメラ装置に関する。
【背景技術】
【０００２】
従来の録画装置一体型の監視カメラ装置として、記録媒体としてＳＤカードを用いるものが知られている。
【０００３】
一方、記録媒体としてハードディスクドライブを用いる監視カメラ装置として、録画装置がカメラ装置と別体で構成される監視カメラ装置が知られている（特許文献１）。
【先行技術文献】
【特許文献】
【０００４】
【特許文献１】実用新案登録第３１７７７８９号公報
【考案の概要】
【考案が解決しようとする課題】
【０００５】
しかしながら、上記従来の録画装置一体型の監視カメラ装置で記録媒体として用いられるＳＤカードは、最大でも６４ＧＢと記憶容量が小さく、また繰り返し使用に対する耐久性が低い。したがって、高画質の画像を長期間にわたって記録することが難しい。また、定期的にＳＤカードを取り出して、ＳＤカードが故障していないかを確認すればよいが、手間であるため実際には頻繁には確認が行われないので、繰り返し使用に対する耐久性の低さに起因するＳＤカードの故障により、画像データを取り出すことができなくなってしまうことがあるという問題がある。
【０００６】
一方、ハードディスクドライブは、大容量で、繰り返し使用に対する耐久性も高く信頼性が高く、また転送速度も大きい記憶媒体であるが、容積が大きいため、上記特許文献１に記載された録画装置のように録画装置がカメラ装置と別体で構成され、そのような監視カメラ装置においては、カメラ装置と録画装置との間に配線が必要であり、その設置が面倒であり、また費用がかかる。
【０００７】
そこで、本考案は、高画質・長時間録画が可能で、信頼性が高く、設置の容易であり、更にはデータのバックアップが容易で短時間で可能な録画装置一体型の監視カメラを提供することを目的の１つとする。
【課題を解決するための手段】
【０００８】
本考案の態様は、監視カメラ装置であって、前記監視カメラ装置の取り付け部位に固定することができるように構成されたベースと、カメラ部と、前記カメラ部が取り付けられる台座部と、前記カメラ部で撮像された画像データを記憶するハードディスクドライブと、を備え、前記ハードディスクドライブは、前記台座部と前記ベースとの間に配置されている監視カメラ装置を提供するものである。
【０００９】
好ましくは、前記ハードディスクドライブは外付けハードディスクドライブである。
【００１０】
好ましくは、前記監視カメラは、データ転送インタフェースを有する回路基板を更に備え、前記回路基板には第１のデータ転送ケーブルが接続され、前記ハードディスクドライブには第２のデータ転送ケーブルが接続され、前記第２のデータ転送ケーブルは、前記第１のデータ転送ケーブルと、直接又は一若しくはそれ以上のデータ転送ケーブルを介して、着脱可能に接続されている。
【００１１】
好ましくは、前記データ転送インタフェースはＵＳＢインタフェースであり、前記第１のデータ転送ケーブル及び前記第２のデータ転送ケーブルはＵＳＢケーブルである。
【００１２】
好ましくは、前記監視カメラ装置は、サブカメラを更に有し、前記サブカメラは前記台座部に着脱可能にかつ位置自在に取り付けられる。
【００１３】
好ましくは、前記カメラ部は、赤外線を照射する照明部を更に備える。このような構成を更に備えることにより、夜間等で監視領域の照度が小さい場合に監視領域を照射することによって、夜間等の照度の小さい場合も監視領域が撮像可能となる。
【００１４】
好ましくは、前記監視カメラ装置は、無線ＬＡＮモジュールを更に備える。
【００１５】
好ましくは、前記ハードディスクドライブが、前記無線ＬＡＮモジュールを更に備える。
【００１６】
好ましくは、前記監視カメラ装置は、有線ＬＡＮモジュールを更に備える。
【００１７】
好ましくは、前記監視カメラに異常が発生した場合に、異常を検知し報知する異常検知報知部を更に備える。
【考案の効果】
【００１８】
上記構成を有する本考案によれば、高画質・長時間録画が可能で、信頼性が高く、設置が容易であり、更にはデータのバックアップが容易で短時間で可能な録画装置一体型の監視カメラが提供される。
【図面の簡単な説明】
【００１９】
【図１】本考案の実施形態に係る監視カメラ装置全体の斜視図である。
【図２】本考案の実施形態に係る監視カメラ装置のカバー部を外した状態の斜視図である。
【図３】本考案の実施形態に係る監視カメラ装置全体のサブカメラを外した状態の分解斜視図である。
【図４】本考案の実施形態に係る本体部のサブカメラを外した状態の分解斜視図である。
【図５】本考案の実施形態に係る監視カメラ装置の回路構成図である。
【考案を実施するための形態】
【００２０】
以下、本考案の実施形態について図面を参照して説明する。
【００２１】
図１は、監視カメラ装置全体の斜視図、図２は、監視カメラ装置のカバー部を外した状態の斜視図、図３は、監視カメラ装置全体のサブカメラを外した状態の分解斜視図、図４は、本体部のサブカメラを外した状態の分解斜視図、図５は、監視カメラ装置の回路構成図である。これらの図１〜図５を参照して、本考案の実施形態の構成及び動作原理を説明する。
【００２２】
図１に示されるように本実施形態に係る監視カメラ装置１は、ベース２と、ベース２に取り付けられる本体部３と、本体部３を覆うようにベース２に着脱可能に取り付けられるカバー部４とから構成される。
【００２３】
有底円筒のベース２の円筒部分には、雄ネジ部２１が設けられている。また、ベース２の底面２０には、後述の支持柱５０を取り付けるためのボス２６が設けられている。また、ベース２には、天井や壁等に取り付けるための取り付け穴２２と、電源コードを引き出すための引き出し穴２４が設けられている。
【００２４】
カバー部４は、透光性材料で形成されたドーム部４０と非透光性材料で形成された円筒状の胴部４２とから構成される。胴部４２の内周面の下端には、ベース２の雄ネジ部２１と螺合する雌ネジ部４２０が形成されており、これによって、カバー部４をベース２にねじ込むことによって、カバー部４をベース２に取り付けることができる。すなわち、カバー部４は、本体部３を覆うように、ベース２に着脱可能に取り付けることができる。カバー部４のベース２への取り付け構造としては、弾性変形可能な係止爪を用いる構造等他の適切な構造を用いてもよい。
【００２５】
本体部３は、カメラ部３０と、カメラ部３０を回転可能に支持する支持部３２と、カメラ部３０が支持部３２を介して取り付けられる台座部３４と、ＧＰＳ受信機３５と、外付けハードディスクドライブ３６と、外付けハードディスクドライブ３６を着脱可能に保持するホルダ３７と、サブカメラ３９とから構成される。
【００２６】
カメラ部３０は、レンズ部３０２と、回路基板部３０４と、可動部材３０６、照明部３０８、マイク３１０、スピーカ３１２とから構成される。回路基板部３０４は、カメラ基板３０４０と、メイン基板３０４２と、外部インタフェース基板３０４４とから構成される。
【００２７】
カメラ基板３０４０は、監視領域を撮像するためのＣＣＤ(Charge Coupled Device)やＣＭＯＳ(Complementary Metal-Oxide Semiconductor)などの撮像素子３０４０ａを有する。本実施形態においては、撮像素子３０４０ａの解像度は１００万画素であり高解像度の画像を撮像することができる。レンズ部３０２は、カメラ基板３０４０に取り付けられる。メイン基板３０４２は、カメラ基板３０４０から出力される画像信号及びマイク３１０から出力される音声信号を圧縮符号化する。また、メイン基板３０４２には、図示しない電源コードが接続されている。外部インタフェース基板３０４４は、各種外部機器との接続のためのインタフェースを備える。本実施形態においては、各種外部機器との接続のためのインタフェースとして、画像・音声出力インタフェース３０４４ａ、メモリカードインタフェース３０４４ｂ、ＵＳＢインタフェース３０４４ｃ、サブカメラインタフェース３０４４ｄを備える。これらのインタフェースのうち、画像・音声出力インタフェース３０４４ａ、メモリカードインタフェース３０４４ｂ、ＵＳＢインタフェース３０４４ｃは、メイン基板３０４ｂから出力される圧縮符号化された画像・音声信号を外部に出力する。メモリカードインタフェース３０４４ｂは、ＳＤカード等のメモリカードが着脱可能なメモリカードスロット３０４４ｂ−１を有する。
【００２８】
カメラ基板３０４０、メイン基板３０４２、外部インタフェース基板３０４４はスペーサによって互いに機械的に結合され、回路基板部３０４を構成する。回路基板部３０４は、可動部材３０６に取り付けられる。可動部材３０６は、支持部３２に回転可能にネジで固定され、カメラ部３０の撮像方向を仰角方向に調整することができる。
【００２９】
台座部３４は、ベース２の底面２０に対して設けられたボス２６と、ボス２６に起立状態で固定される支持柱５０によって支持される。ボス２６と支持柱５０が支持柱部５を構成する。すなわち、台座部３４とベース２の底面２０との間には支持柱部５が設けられ、台座部３４が支持柱部５を介してベース２によって支持されると共に、台座部３４とベース２との間に外付けハードディスクドライブ３６を配置することができる空間を形成している。これにより、容積の大きな外付けハードディスクドライブを筐体内にコンパクトに収容することを可能としている。ここで、従来は監視カメラ装置を構成する回路基板の少なくとも一部がベースに設けられていたが、本実施形態においては、監視カメラ装置１を構成する回路基板のすべてが回路基板部３０４に含まれる構成としているので、外付けハードディスクドライブ３６を配置するための台座部３４とベース２との間の空間をよりコンパクトにし、外付けハードディスクドライブの筐体内への収納をより容易とすることができる。
【００３０】
台座部３４の外周部には、台座部３４の周方向に延びる第１の位置調整用穴３４０が設けられており、カメラ部３０がベース２に対して台座部３４の周方向に回転可能に、支持柱５０が第１の位置調整用穴３４０を介して台座部３４にネジによって固定される。外付けハードディスクドライブ３６を着脱可能に保持するホルダ３７は、ネジによって台座部３４に取り付けられる。外付けハードディスクドライブ３６は、ホルダ３７内で摺動させることによりホルダ３７に着脱される。
【００３１】
外付けハードディスクドライブの保持機構として、上記構成では、外付けハードディスクドライブを摺動させることにより着脱されるホルダを用いたが、台座部とベースとの間に形成された空間に外付けハードディスクドライブを配置することができる保持機構であれば、任意の構成を用いることができる。
【００３２】
台座部３４の中心部には、台座部３４の半径方向に延びる第２の位置調整用穴３４２が設けられており、カメラ部３０が台座部３４に対して移動可能に、支持部３２が第２の位置調整用穴３４２を介して台座部３４にネジによって固定される。この第２の位置調整用穴３４２によって、カメラ部３０を、後述のサブカメラ３９をよけるように配置することができ、サブカメラ３９の配置可能スペースを拡げることができる。
【００３３】
外付けハードディスクドライブ３６は、ＵＳＢ端子３６０を備えている。一方、外部インタフェース基板３０４４のＵＳＢインタフェース３０４４ｃには、基板とは反対側の端部にメス型のコネクタを有する第１のＵＳＢケーブル３８０が接続されている。したがって、第２のＵＳＢケーブル３８２を介して、ＵＳＢ端子３６０と第１のＵＳＢケーブル３８０を接続することにより、ＵＳＢ端子３６０はＵＳＢインタフェース３０４４ｃに対して着脱可能に接続することができる。ＵＳＢ端子３６０とＵＳＢインタフェース３０４４ｃとの間に接続されるＵＳＢケーブルの数は一又はそれ以上の任意の数とすることができる。すなわち、［００５０］においても述べるように、外付けハードディスクドライブ３６に接続された第２のＵＳＢケーブル３８２と、外部インタフェース基板３０４４に接続された第１のＵＳＢケーブル３８０が着脱可能に接続されることにより、外付けハードディスクドライブ３６は、監視カメラ装置１に対して着脱可能とすることができる。第２のＵＳＢケーブル３８２と第１のＵＳＢケーブル３８０は直接接続されてもよいし、一又はそれ以上のＵＳＢケーブルを介して接続されてもよい。また、外付けハードディスクドライブ３６の筐体は、滑り防止と衝撃緩和のために、例えばシリコン素材のものとすることができる。
【００３４】
データ転送ケーブル及びデータ転送インタフェースとして、上記構成では、ＵＳＢケーブル及びＵＳＢインタフェースを用いたが、ハードディスクドライブに対してデータ転送が可能なものであれば、任意のデータ転送ケーブル及びデータ転送インタフェースを用いることができる。
【００３５】
外付けハードディスクドライブ３６は、ＩＥＥＥ８０２．１１などの規格に準拠した無線ＬＡＮモジュールを有するものを用いてもよい。そのような外付けハードディスクドライブを用いれば、無線ＬＡＮモジュールによって無線通信によりデータの送受信を行うことができ、監視カメラ装置１から外付けハードディスクドライブ３６を取り外すことなく、外付けハードディスクドライブ３６に記憶された画像データを、監視カメラ装置１外部の機器、例えばパーソナルコンピュータに転送し、データのバックアップを行うことも更にできる。
【００３６】
ここで、無線ＬＡＮモジュールを備える外付けハードディスクドライブを用いる構成に替えて、回路基板部３０４が、無線ＬＡＮモジュールを備える基板を更に備えるように構成したり、他の適当な場所に監視カメラ装置１が無線ＬＡＮモジュールを備えるように構成してもよい。
【００３７】
また、無線ＬＡＮモジュールに加えて又は替えて、監視カメラ装置１が有線ＬＡＮモジュールを備えるように構成し、監視カメラ装置１から外付けハードディスクドライブ３６を取り外すことなく、外付けハードディスクドライブ３６に記憶された画像データを、ＬＡＮケーブルを介して、監視カメラ装置１外部の機器、例えばパーソナルコンピュータに転送し、データのバックアップを行えるようにしてもよい。
【００３８】
可動部材３０６には、レンズ部３０２を取り囲むように照明部３０８が取り付けられる。照明部３０８は、赤外線発光ダイオード群から構成され、夜間等で監視領域の照度が小さい場合に監視領域を照射することによって、夜間等の照度の小さい場合も監視領域を撮像可能とする。
【００３９】
可動部材３０６には、マイク３１０が着脱可能に取り付けられる。マイク３１０は、メイン基板３０４２の図示しないマイク入力インタフェースに電気的に接続され、マイク３１０からの出力信号がメイン基板３０４２に入力される。マイク３１０は着脱可能に構成されており、監視カメラ装置１の内外の所望の場所に取り付けることができる。
【００４０】
可動部材３０６には、スピーカ３１２が取り付けられる。スピーカ３１２は、メイン基板３０４２の図示しない音声出力インタフェースに電気的に接続され、メイン基板３０４２からの出力信号が音声に変換されて出力される。スピーカ３１２は着脱可能に構成されており、監視カメラ装置１の内外の所望の場所に取り付けることができる。
【００４１】
台座部３４には、カメラ部３０に加えて、サブカメラ３９が、耐振粘着マット等によって、着脱可能にかつ位置自在に取り付けることができる。本実施形態においては、サブカメラ３９の解像度は１００万画素であり高解像度の画像を撮像することができる。サブカメラ３９は外部インタフェース基板３０４４のサブカメラインタフェース３０４４ｄに接続され、サブカメラ３９で撮像された画像の画像信号が外部インタフェース基板３０４４を介してメイン基板３０４２に入力される。カメラ部３０に加えてサブカメラ３９を位置自在に取り付けることができるので、所望の２方向の撮像が可能となり監視領域を広げたり、ワイド画像とズームイン画像の２種類の画像を取得したり等することができる。
【００４２】
台座部３４には、ＧＰＳ受信機３５が着脱可能に取り付けられる。ＧＰＳ受信機３５は、メイン基板３０４２の図示しないＧＰＳ信号入力インタフェースに電気的に接続され、ＧＰＳ受信機３５からのＧＰＳ信号がメイン基板３０４２に入力される。このＧＰＳ受信機３５により受信されたＧＰＳ信号を用いて、図示しない内部時計の時刻が較正される。ＧＰＳ受信機３５は着脱可能に構成されているので、監視カメラ装置内外の受信感度の良好な所望の場所に取り付けることができる。
【００４３】
図４を参照して、メイン基板３０４２の制御部３０４２ｃは、監視カメラ装置１の動作の制御を司る。制御部３０４２ｃは、例えばＣＰＵ(Central Processing Unit)により構成する。
【００４４】
メイン基板３０４２の異常検知報知部３０４２ｃは、監視カメラ装置１の各部の異常を検知し、異常が検知されるとスピーカ３１２を介して、検知された異常、例えばシステムエラー、電圧異常、ＧＰＳ信号の不受信等に対応するメッセージを音声出力する。
【００４５】
レンズ部３０２を透過した被写体の光は、撮像素子３０４０ａの撮像面に結像し、この結像画像に基づく画像信号が撮像素子３０４０ａから出力される。撮像素子３０４０ａから出力された画像信号は、図示しないインタフェースを介してメイン基板３０４２の画像・音声データ処理部３０４２ａに入力する。また画像・音声データ処理部３０４２ａには、マイク３１０からの音声信号が入力される。この画像・音声データ処理部３０４２ａにおいて、撮像素子３０４０ａからの画像信号に対して所定の画像処理が施され、画像処理が施された画像信号の画像データ及び音声信号の音声データが圧縮処理され、圧縮画像・音声データが生成される。画像データ及び音声データの圧縮処理は、例えばＨ．２６４方式を用いて行うことができる。
【００４６】
画像・音声データ処理部３０４２ａにおいて生成された圧縮画像・音声データは、外部インタフェース基板３０４４の画像・音声出力インタフェース３０４４ａ、メモリカードインタフェース３０４４ｂ、又はＵＳＢインタフェース３０４４ｃを介して、それらのインタフェースのいずれかに接続される外部機器に出力される。
【００４７】
例えば、ＵＳＢインタフェース３０４４ｃに接続された第１のＵＳＢケーブル３８０と、外付けハードディスクドライブ３６のＵＳＢ端子３６０が、第２のＵＳＢケーブル３８２によって接続されている場合、画像・音声データ処理部３０４２ａにおいて生成された圧縮画像・音声データは、外付けハードディスクドライブ３６に出力され、記憶される。
【００４８】
また、例えば、メモリカードインタフェース３０４４ｂのメモリカードスロット３０４４ｂ−１にメモリカード６０が装着されている場合、画像・音声データ処理部３０４２ａにおいて生成された圧縮画像・音声データは、メモリカード６０に出力され、記憶される。
【００４９】
以上の装置構成に基づいて、外付けハードディスクドライブ３６に記憶された圧縮画像・音声データを、パーソナルコンピュータ等の外部の機器に、データのバックアップ等のために移す際の手順について説明する。
【００５０】
まず、ベース２にねじ込まれているカバー部４を取り外す。次に、外付けハードディスクドライブ３６のＵＳＢ端子３６０に接続されている第２のＵＳＢケーブル３８２を第１のＵＳＢケーブル３８０から取り外す。次いで、第２のＵＳＢケーブル３８２がＵＳＢ端子３６０に接続された状態で外付けハードディスクドライブ３６をホルダ３７から抜き出す。そして、この外付けハードディスクドライブ３６に接続された第２のＵＳＢケーブル３８０をパーソナルコンピュータのＵＳＢ端子に接続し、外付けハードディスクドライブ３６に記憶された圧縮画像・音声データをパーソナルコンピュータ等の外部の機器に移す。したがって、本実施形態によれば、監視カメラ装置１に記憶された圧縮画像・音声データをパーソナルコンピュータ等の外部の機器に簡単に移すことができる。
【００５１】
上記構成では、外付けハードディスクドライブは、ＵＳＢ端子を有し、該ＵＳＢ端子に接続されたＵＳＢケーブルによって、監視カメラ装置から取り外してパーソナルコンピュータ等の外部の機器にも着脱可能に接続できる構成であったが、外付けハードディスクドライブにＵＳＢケーブルが接続され、監視カメラ装置から取り外してパーソナルコンピュータ等の外部の機器にも着脱可能に接続できる構成であれば、任意の構成を用いることができる。
【００５２】
このように、本実施形態においては、ハードディスクドライブを監視カメラ装置に対して着脱可能とする構造を、カメラ部３０が取り付けられる台座部３４とベース２の底面２０との間に配置することにより、容積の大きなハードディスクドライブを筐体内にコンパクトに収容することを可能とし、録画装置一体型の監視カメラ装置において、カメラ部３０及びマイク３１０により取得された画像・音声データの圧縮画像・音声データを記憶する記憶媒体として、大容量で、繰り返し使用に対する耐久性も高く信頼性が高く、また転送速度も大きいという優れた特徴を有するハードディスクドライブを採用することができる。そして、本実施形態の構成により、高画質・長時間録画が可能で、信頼性が高く、設置が容易であり、かつデータのバックアップが容易で短時間で可能な録画装置一体型の監視カメラが実現される。
【００５３】
また、圧縮画像・音声データを記憶する記憶媒体としてハードディスクドライブを採用したことにより、大容量のデータの記憶が可能となるため、カメラ部３０とサブカメラ３９の２台のカメラの撮像データを記憶することができるようになったので、２方向の撮像が可能となり監視領域を広げたり、ワイド画像とズームイン画像の２種類の画像を取得したり等することができる。
【００５４】
上記構成では、ハードディスクドライブとして、外付けハードディスクドライブを用いたが、外付けハードディスクドライブでないハードディスクドライブ（例えば内蔵ハードディスクドライブ）を用いて、それを回路基板部に接続する構成としてもよい。このような構成においても、ハードディスクドライブの監視カメラ装置に対して保持する構造を、カメラ部が取り付けられる台座部とベースの底面との間に配置することにより、容積の大きなハードディスクドライブを筐体内にコンパクトに収容することを可能とする効果が得られる。
【００５５】
以上、本考案について、例示のためにいくつかの実施形態に関して説明してきたが、本考案はこれに限定されるものでなく、本考案の範囲及び精神から逸脱することなく、形態及び詳細について、様々な変形及び修正を行うことができることは、当業者に明らかであろう。
【符号の説明】
【００５６】
１  監視カメラ装置
２  ベース
３  本体部
４  カバー部
５  支持柱部
２０  底面
２１  雄ネジ部
２２  取り付け穴
２４  引き出し穴
２６  ボス
３０  カメラ部
３２  支持部
３４  台座部
３５  ＧＰＳ受信機
３６  外付けハードディスクドライブ
３７  ホルダ
３９  サブカメラ
４０  ドーム部
４２  胴部
５０  支持柱
６０  メモリカード
３０２  レンズ部
３０４  回路基板部
３０６  可動部材
３０８  照明部
３０９  録画状態表示部
３１０  マイク
３１２  スピーカ
３４０  第１の回転調整用穴
３４２  第２の回転調整用穴
３６０  ＵＳＢ端子
３８０  第１のＵＳＢケーブル
３８２  第２のＵＳＢケーブル
４２０  雄ネジ部
３０４０  カメラ基板
３０４２  メイン基板
３０４２ａ  画像・音声データ処理部
３０４２ｂ  制御部
３０４２ｃ  異常検知報知部
３０４４  外部インタフェース基板
３０４０ａ  撮像素子
３０４４ａ  画像・音声出力インタフェース
３０４４ｂ  メモリカードインタフェース
３０４４ｃ  ＵＳＢインタフェース
３０４４ｄ  サブカメラインタフェース
【図１】
0003197508.tif 000003
【図２】
0003197508.tif 000004
【図３】
0003197508.tif 000005
【図４】
0003197508.tif 000006
【図５】
0003197508.tif 000007